(57)【要約】【課題】従来の個人情報に加えて音声情報も照合することで、視聴者の個人情報を誤って使用されずに視聴制限を行うことが可能な視聴制限機能付きテレビジョン受像機及び番組視聴制限方法を提供することを目的とする。【解決手段】ユーザ名とパスワードを入力する入力手段と、ユーザ名とパスワードと音声情報を記憶する個人情報記憶手段と、ユーザからの音声を受信する音声受信手段と、個人情報記憶手段及び音声受信手段を制御する制御手段とを備え、制御手段は、所望の番組に対して視聴要求があった場合に、入力手段からのユーザ名及びパスワードと個人情報記憶手段からのユーザ名及びパスワードでの照合だけでなく、個人情報記憶手段からの音声情報と音声受信手段からの音声との照合を行い、照合が一致した場合のみ当該所望の番組の視聴を行う構成とする。【選択図】　図１
2004040293.tif 000002
【特許請求の範囲】
【請求項１】
ユーザ名とパスワードを入力する入力手段と、ユーザ名とパスワードと音声情報を記憶する個人情報記憶手段と、ユーザからの音声を受信する音声受信手段と、前記個人情報記憶手段及び音声受信手段を制御する制御手段とを備え、前記制御手段は、所望の番組に対して視聴要求があった場合に、前記入力手段からのユーザ名及びパスワードと個人情報記憶手段からのユーザ名及びパスワードでの照合だけでなく、前記個人情報記憶手段からの音声情報と音声受信手段からの音声との照合を行い、照合が一致した場合のみ当該所望の番組の視聴を行うことを特徴とする視聴制限機能付きテレビジョン受像機。
【請求項２】
ユーザ名とパスワードと音声情報を記憶する第１のステップと、ユーザ名とパスワードを入力する第２のステップと、ユーザからの音声を受信する第３のステップと、所望の番組に対して視聴要求があった場合に、前記第１のステップでのユーザ名及びパスワードと第２のステップでのユーザ名及びパスワードとの照合を行う第５のステップと、前記第５のステップでの照合が一致した場合に前記第１のステップでの音声情報と第３のステップでの音声との照合を行う第６のステップと、前記第６のステップでの照合が一致した場合に前記所望の番組の視聴を可能とする第７のステップを具備することを特徴とする番組視聴制限方法。
【請求項３】
コンピュータにユーザ名とパスワードと音声情報を記憶する第１のステップと、ユーザ名とパスワードを入力する第２のステップと、ユーザからの音声を受信する第３のステップと、所望の番組に対して視聴要求があった場合に、前記第１のステップでのユーザ名及びパスワードと第２のステップでのユーザ名及びパスワードとの照合を行う第５のステップと、前記第５のステップでの照合が一致した場合に前記第１のステップでの音声情報と第３のステップでの音声との照合を行う第６のステップと、前記第６のステップでの照合が一致した場合に前記所望の番組の視聴を可能とする第７のステップを実行させるためのプログラムを記録したコンピュータ読み取り可能な記録媒体。
【請求項４】
コンピュータにユーザ名とパスワードと音声情報を記憶する第１のステップと、ユーザ名とパスワードを入力する第２のステップと、ユーザからの音声を受信する第３のステップと、所望の番組に対して視聴要求があった場合に、前記第１のステップでのユーザ名及びパスワードと第２のステップでのユーザ名及びパスワードとの照合を行う第５のステップと、前記第５のステップでの照合が一致した場合に前記第１のステップでの音声情報と第３のステップでの音声との照合を行う第６のステップと、前記第６のステップでの照合が一致した場合に前記所望の番組の視聴を可能とする第７のステップを実行させるためのプログラム。
【発明の詳細な説明】
【０００１】
【発明の属する技術分野】
本発明は、視聴制限機能付きテレビジョン受像機及び番組視聴制限方法に関し、更に詳しくは、個人情報の照合だけでなく音声情報の照合を行うことにより視聴制限を行うことが可能な視聴制限機能付きテレビジョン受像機及び番組視聴制限方法に関する。
【０００２】
【従来の技術】
衛星デジタル放送を受信するテレビジョン受像機では、特開２０００−１７５１１７号公報に開示されるテレビジョン受像機のように番組の視聴制限は一般的に行われている。
【０００３】
上記従来のテレビジョン受像機は、視聴の予約あるいは視聴を行うユーザの認識を自動的に行い、認識されたユーザにとって、受信した番組が視聴可能か否かを判断し、視聴可能な番組であると判断した場合は当該番組の映像表示を行い、視聴不可能な番組であると判断した場合は当該番組の映像表示を行わないものである。
【０００４】
【発明が解決しようとする課題】
しかしながら、上記従来のテレビジョン受像機の構成では、認識させる個人の情報を他人に誤って使用されると、視聴制限が行えないという問題点があった。また、従来のテレビジョン受像機には音声認識機能がなく、音声情報を利用した視聴制限ができないという問題もあった。
【０００５】
本発明は上記の問題に鑑みてなされたもので、衛星デジタル放送受信機内蔵テレビジョン受像機に音声認識機能を導入し、従来の個人情報に加えて音声情報も照合することで、個人情報が本人のものであることを確実に認識させ視聴制限を行うことが可能な視聴制限機能付きテレビジョン受像機及び番組視聴制限方法を提供することを目的とする。
【０００６】
【課題を解決するための手段】
上記課題を解決するために、請求項１に係る視聴制限機能付きテレビジョン受像機は、ユーザ名とパスワードを入力する入力手段と、ユーザ名とパスワードと音声情報を記憶する個人情報記憶手段と、ユーザからの音声を受信する音声受信手段と、個人情報記憶手段及び音声受信手段を制御する制御手段とを備え、制御手段は、所望の番組に対して視聴要求があった場合に、入力手段からのユーザ名及びパスワードと個人情報記憶手段からのユーザ名及びパスワードでの照合だけでなく、個人情報記憶手段からの音声情報と音声受信手段からの音声との照合を行い、照合が一致した場合のみ当該所望の番組の視聴を行うことを特徴とする。
【０００７】
また、請求項２に係る番組視聴制限方法は、ユーザ名とパスワードと音声情報を記憶する第１のステップと、ユーザ名とパスワードを入力する第２のステップと、ユーザからの音声を受信する第３のステップと、所望の番組に対して視聴要求があった場合に、第１のステップでのユーザ名及びパスワードと第２のステップでのユーザ名及びパスワードとの照合を行う第５のステップと、第５のステップでの照合が一致した場合に第１のステップでの音声情報と第３のステップでの音声との照合を行う第６のステップと、第６のステップでの照合が一致した場合に所望の番組の視聴を可能とする第７のステップを具備することを特徴とする
また、請求項３に係る記録媒体は、上記番組視聴制限方法を実施するコンピュータプログラムを記録するものであり、請求項４はそのコンピュータプログラムそのものに関するものである。
【０００８】
【発明の実施の形態】
図１は本発明の実施の形態による視聴制限機能付きテレビジョン受像機の構成を説明するためのブロック図である。
【０００９】
衛星デジタル放送受信機内蔵テレビジョン受像機１０１は、個人情報記録媒体１０２に記録されている個人情報を受信する個人情報受信部１０３と、個人情報受信部１０３で受信した個人情報の認識／登録、及び視聴制限を行う衛星デジタル放送受信マイクロコンピュータ１０４と、衛星デジタル放送受信マイクロコンピュータ１０４で認識した個人情報を登録する個人情報登録部１０５と、音声認識リモコン１０６から送信された赤外線を受信する音声認識リモコン受信部１０８と、音声認識リモコン受信部１０８で受信された音声の認識及び記録を行う音声認識マイクロコンピュータ１０９と、音声認識マイクロコンピュータ１０９で認識した音声を記憶する音声記憶部１１０と、選局リモコン１１１から送信された赤外線を受信する選局リモコン受信部１１２と、選局リモコン受信部１１２で受信された選局情報を認識する選局マイクロコンピュータ１１３と、衛星デジタル放送受信マイクロコンピュータ１０４が視聴制限を行うチャンネル制御部１１４及びチャンネル制御部１１４で視聴制限がなされなかった場合に番組を表示する映像表示部１１５から構成されている。
【００１０】
そして、衛星デジタル放送を受信時に必要な個人情報を記録する個人情報記録媒体１０２と、音声を赤外線に変換して送信する音声認識リモコン１０６と、音声認識リモコン１０６に内蔵されているマイク１０７及び番組の選局を行うための選局リモコン１１５を保持している。
【００１１】
次に、本実施の形態による視聴制限機能付きテレビジョン受像機の個人情報登録時の動作を図２に示すフローチャートを用いて説明する。
【００１２】
まず、衛星デジタル放送受信機内蔵テレビジョン受像機１０１において、個人情報記録媒体１０２から個人情報を個人情報受信部１０３で受信し（ステップ２０１）、受信された個人情報を衛星デジタル放送受信マイクロコンピュータ１０４で認識し（ステップ２０２）、認識された個人情報を個人情報登録部１０５で登録する（ステップ２０３）。
【００１３】
次に、音声を記憶するために、衛星デジタル放送受信マイクロコンピュータ１０４が選局マイクロコンピュータ１１３を経由して音声認識マイクロコンピュータ１０９に対して音声を記憶するための命令を通信する（ステップ２０４）。
【００１４】
そして、音声認識リモコン１０６に内蔵されているマイク１０７から発声された音声を赤外線に変換して送信し、音声認識リモコン受信部１０８で受信し（ステップ２０５）、受信された音声を音声認識マイクロコンピュータ１０９が認識し（ステップ２０６）、認識した音声を音声記憶部１１０で記憶する（ステップ２０７）。
【００１５】
上記処理によって記憶された音声を個人情報として登録するために音声認識マイクロコンピュータ１０９が選局マイクロコンピュータ１１３を経由して衛星デジタル放送受信マイクロコンピュータ１０４に対して音声情報を通信し（ステップ２０８）、衛星デジタルマイクロコンピュータ１０４が個人情報登録部１０５に登録する（ステップ２０９）。
【００１６】
次に、個人情報記録媒体１０２使用時の動作を図３に示すフローチャートを用いて説明する。
【００１７】
まず、個人情報記録媒体１０２使用時に、個人情報記録媒体１０２から個人情報を個人情報受信部１０３で受信し（ステップ３０１）、受信された個人情報を衛星デジタル放送受信マイクロコンピュータ１０４で認識する（ステップ３０２）。
【００１８】
次に、音声の照合を行うために、衛星デジタル放送受信マイクロコンピュータ１０４が選局マイクロコンピュータ１１３を経由して音声認識マイクロコンピュータ１０９に対して、音声を照合するための命令を通信する（ステップ３０３）。そして、音声認識リモコン１０６に内蔵されているマイク１０７から発声された音声を赤外線に変換して送信し、音声認識リモコン受信部１０８で受信し（ステップ３０４）、受信された音声を音声認識マイクロコンピュータ１０９が認識する（ステップ３０５）。
【００１９】
上記処理によって認識された音声と登録済みの音声情報を音声認識マイクロコンピュータ１０９が照合し（ステップ３０６）、照合結果を選局マイクロコンピュータ１１３を経由して衛星デジタル放送受信マイクロコンピュータ１０４に対して通信する（ステップ３０７）。そして、照合一致した場合に衛星デジタル放送受信マイクロコンピュータ１０４が視聴制限のある番組を選局できるようにし（ステップ３０８）、音声照合一致しなかった場合に衛星デジタル放送受信マイクロコンピュータ１０４が視聴制限のある番組を選局できないようにする（ステップ３０９）。
【００２０】
最後に、視聴制限のある番組を選局する時の動作を図４のフローチャートを用いて説明する。
【００２１】
選局リモコン１１１からのリモコン信号を選局リモコン受信部１１２で受信し（ステップ４０１）、受信したリモコン信号を選局マイクロコンピュータ１１３が認識し（ステップ４０２）、選局マイクロコンピュータ１１３が衛星デジタル放送受信マイクロコンピュータ１０４に対して選局通信を行う（ステップ４０３）。
【００２２】
そして、上記照合結果において、視聴許可の場合は、チャンネル制御部１１４で視聴制限をかけずに（ステップ４０４）、映像表示部１１５で番組を表示する（ステップ４０６）。一方、視聴不許可の場合は、チャンネル制御部１１４で視聴制限をかけて映像表示部１１５での番組表示は行わない（ステップ４０５）。
【００２３】
なお、本実施の形態では、コンピュータプログラムによってそれぞれの手段が制御されることで実現され、このコンピュータプログラムをフロッピーディスク等の記録媒体に記録しておくことにより、移送が可能となり、独立した他の視聴制限機能においても容易に実施することができる。
【００２４】
【発明の効果】
以上のように、本発明の視聴制限機能付きテレビジョン受像機及び番組視聴制限方法によれば、テレビジョン受像機に音声認識機能を導入し、従来の個人情報に加えて音声情報を追加登録するようにし、個人情報記録媒体使用時に音声情報も照合することで、個人情報が本人のものであることを確実に認識させることができ、視聴制限を行うことが可能となる。
【図面の簡単な説明】
【図１】本発明の実施の形態における視聴制限機能付きテレビジョン受像機の構成を示すブロック図
【図２】同実施の形態における個人情報登録時の動作を示すフローチャート
【図３】同実施の形態における個人情報記録媒体使用時の動作を示すフローチャート
【図４】同実施の形態における視聴制限番組選局時の動作を示すフローチャート
【符号の説明】
１０１　衛星デジタル放送受信機内蔵テレビジョン受像機
１０２　個人情報記録媒体
１０３　個人情報受信部
１０４　衛星デジタル放送受信マイクロコンピュータ
１０５　個人情報登録部
１０６　音声認識リモコン
１０７　マイク
１０８　音声認識リモコン受信部
１０９　音声認識マイクロコンピュータ
１１０　音声記憶部
１１１　選局リモコン受信部
１１２　選局リモコン
１１３　選局マイクロコンピュータ
１１４　チャンネル制御部
１１５　映像表示部
【図１】
2004040293.tif 000003
【図２】
2004040293.tif 000004
【図３】
2004040293.tif 000005
【図４】
2004040293.tif 000006